(57)【要約】本発明は、楽譜のページをめくる装置を提供する。演奏者が電源スイッチを操作することにより、装置のハウジングに配置された作動レバーが、ハウジングの案内溝より起立し、作動レバーと結合されている駆動モータの操作に従ってページの右下端部を押圧保持する。このとき、圧着片が、押圧しているページに対してもしくはページから離反して前後方向に移動し、ページを円滑にめくることができる。この作動レバーは、ページを完全にめくるように、案内溝に沿って左方向に回転を継続する。ページめくり操作を完了した後、作動レバーは、めくったページから離脱して、案内溝に沿った元の位置に復帰する。
2004516171.tif 000002
【特許請求の範囲】
【請求項１】
使用者が電源を印加することにより駆動される作動レバーが取り付けられた正逆回転可能な歯車付きモータが組み込まれ、本を支持する支え台が設けられたハウジングと、前記作動レバーの軌跡に応じた案内溝とめくった本のページを固定する支持片が設けられたカバーとを備える自動で本のぺージをめくる装置であって：
前記歯車付きモータ１０１の回転を最終減速する減速ギヤ１０２の一側に設けられているガイド１０３を有する回転方向切換部１００と；
ガイド溝１０４を貫通し、一端が回動軸２０１にヒンジ式で固定され、上端が押圧片２０３に固定されている前記作動レバー２０２を有する回動部材２００と；
前記作動レバー２０２の右側上端部を取り囲み、下端部が固定具３０３にピン３０５で固定されている押え片３０１と、前記ハウジング１５０の支持部にピン３０２で固定されている固定具３０３と、前記固定具３０３と前記押え片３０１の下端部に結合されている弾性部材３０４、３０６とを有する押圧拘束部材３００と；
クランク軸４０１の駆動に連動し、ワイヤ４０６と弾性部材４１０、４１１により連結され、前後方向に回動可能なストッパ４０９と圧着部材４０２を有する着脱部材４００とを備えることを特徴とする本の自動ページめくり装置。
【請求項２】
前記圧着部材４０２の上端と押圧片２０３の後面に逆Ｕ字状に弾性片２０４、４０４が設けられていることを特徴とする請求項１記載の本の自動ページめくり装置。
【請求項３】
固定具３０３は、ピン３０２によってハウジング１５０にヒンジ式で固定され、弾性部材３０４、３０６の一端が、固定具３０３の上部の一側と前記螺旋状の押え片３０１の下側に固定され、その他端がハウジング１５０の底部の突起によって固定されていることを特徴とする請求項１記載の本の自動ページめくり装置。
【請求項４】
前記作動レバー２０２が案内溝１５１の左端部１５１ａに位置するときに接触するように設けられた第１のスイッチ１５３と、前記作動レバー２０２が初期位置に復帰するときに接触するように設けられた第２のスイッチ１５４とを備えることを特徴とする請求項１記載の本の自動ページめくり装置。
【請求項５】
前記作動レバー２０２は、棒状であり、中央部が前記ハウジング１５０の前方部側に湾曲して形成されることを特徴とする請求項１記載の本の自動ページめくり装置。
【請求項６】
一端が前記回動軸２０１の一側端部に固定され、その他側端部が前記作動レバー２０２の下端部に固定された弾性部材２０５を備えることを特徴とする請求項１記載の本の自動ページめくり装置。
【請求項７】
一端がハウジング１５０の底面に固定され、その他端が前記押圧片２０３の初期高さとしてクランク状に形成され、前記押圧片２０３の接触部にローラが結合された案内片１６６を備えることを特徴とする請求項１記載の本の自動ページめくり装置。
【請求項８】
前記ガイド溝１０４が、前記ガイド１０３に対し前後方向に傾斜して長孔に形成されることを特徴とする請求項１記載の本の自動ページめくり装置。
【請求項９】
前記クランク軸４０１の自由端が、ストッパ４０９の下部に形成された第２の係止片４０８を左右に回動させることを特徴とする請求項１記載の本の自動ページめくり装置。
【発明の詳細な説明】
【０００１】
（技術分野）
本発明は、例えば演奏者が楽器を演奏するときに、自動で楽譜を１枚ずつめくるようにした装置に関する。より詳しくは、本出願人が特許出願した韓国特許出願第９８−４１４４５号の装置を改良したものであり、演奏者が電源スイッチを足で踏むと、作動レバーがヒンジを中心に左側に回動すると共に、作動レバーの上端の押圧片がページをめくるようにした装置に関する。
【０００２】
（背景技術）
このような装置は、図１０および図１１に示すように、演奏者が足で作動ボタン１４を操作すると、支え台１０に組み込まれたモータの駆動により、作動レバー２０が案内溝１０ａに沿って支え台１０の上方に起立し、作動レバー２０の先端部に固定されたローラ６１によって本のページを押圧した後、案内溝１０ａに沿って回動することによって、本のページを１枚ずつめくることができるものである。
【０００３】
しかし、このような装置は、本の厚さが厚い場合は、ページをめくるために作動レバー２０が回動するとき、支持杆３０がページから適時に離脱せず、めくられるページが揉まれたり破れたりする。反対に、本の厚さが薄い場合は、作動レバー２０が回動するときに、支持杆３０が本のページからあまりにも早く離脱して、数枚のページが同時にめくられる等、構成の欠陥による作動上の問題点があった。
【０００４】
また、作動レバー２０が帯状になっているため、作動レバー２０が案内溝１０ａに沿って回動するとき、本のページの中央部が案内溝１０ａ側に膨らんで作動レバー２０の内側面とページが接触するようになるので、本のページを押圧支持するローラ６１がページから隔離した状態となり、円滑にページをめくれない問題点があった。
【０００５】
さらに、支持杆３０が支え台１０の上面からあまりにも高く突出しているため、装置の携帯または保管が難しくなる。さらに、構造上において作動レバー２０の軌跡の幅が大きくなっているため、案内溝１０ａの幅もまた大きくなる。従って、本のページが溝に挟まれる等、作動上の問題点があった。
【０００６】
（発明の開示）
本発明は、上記問題点に鑑みなされたものである。本発明の目的は、使用者が電源スイッチを足で操作してモータに電源を印加すると、作動レバーが案内溝に沿って回動し、本のページを押圧支持して１枚を正しくめくった後、初期位置に復帰することを繰り返すことによって、楽器の演奏に集中することができるようにした装置を提供することにある。
【０００７】
また、本発明の別の目的は、作動レバーがページをめくった後、初期位置に復帰するとき、ハウジングの内部の狭い空間に密集されている隣接した部品との干渉を防止することにより、円滑に作動されるようにした装置を提供することにある。
【０００８】
さらに、本発明の他の目的は、作動レバーの軌跡に対応した案内溝の切欠き幅を最小化することにより、本のページが案内溝に挟まれることを防止し、塵芥等の異物の流入を減らし、製品のデザイン自由度を向上させた装置を提供することにある。
【０００９】
さらにまた、本発明の他の目的は、本のページの中央下部を密着支持する圧着片の着脱方向と密着時間を適当に調節することにより、本のページに対する押圧片の滑りを防止し、作動レバーが初期位置に復帰するとき、押圧片との接触によって、ページが元に戻ることを防止する装置を提供することにある。
【００１０】
上記の目的を達成するため、本発明による本の自動ページめくり装置は、使用者が電源を印加することにより駆動される作動レバーが取り付けられた正逆回転可能な歯車付きモータが組み込まれ、本を支持する支え台が設けられたハウジングと、前記作動レバーの軌跡に応じた案内溝とめくった本のページを固定する支持片が設けられたカバーとを備える。この装置は、さらに、前記歯車付きモータの回転を最終減速する減速ギヤの一側に設けられているガイドを有する回転方向切換部と；ガイド溝を貫通し、一端が回動軸にヒンジ式で固定され、上端が押圧片に固定されている前記作動レバーを有する回動部材と；前記作動レバーの右側上端部を取り囲み、下端部が固定具にピンで固定されている押え片と、前記ハウジングの支持部にピンで固定されている固定具と、前記固定具と前記押え片の下端部に結合されている弾性部材とを有する押圧拘束部材と；クランク軸の駆動に連動し、ワイヤと弾性部材により連結され、前後方向に回動可能なストッパと圧着部材を有する着脱部材とから構成される。
【００１１】
（発明を実施するための最良の形態）
以下、本発明の好ましい実施の形態を、添付図面に基づいて詳しく説明する。本実施例は、本発明の属する技術の分野における通常の知識を有する者が容易に実施することができる程度に詳しく説明するためのものであり、これらによって本発明の技術的な範疇および思想が限定されることではない。
【００１２】
図１ないし図９に示すように、本発明による本の自動ページめくり装置は、使用者が電源を印加することにより駆動される作動レバーが取り付けられた歯車付きモータが組み込まれ、本を支持する支え台が設けられたハウジングと；作動レバーの軌跡に対応する案内溝と、めくったページを固定する支持片とが設けられたハウジングのカバーとから構成される。
【００１３】
本発明の好適な実施の形態においては、装置の方向切換部１００は、電源スイッチ１６０の操作によって正逆回転する歯車付きモータ１０１と、該歯車付きモータ１０１の回転を再度減速する中間ギヤ１０５と、該中間ギヤ１０５と噛み合って最終減速を行う減速ギヤ１０２と、該減速ギヤ１０２の側面に固定され、前後方向に傾斜して長孔からなるガイド溝１０４が設けられたガイド１０３から構成される。このガイド１０３は、ガイド溝１０４を貫通した作動レバー２０２が、減速ギヤ１０２の正逆回転によって、ガイド溝１０４内で前後に摺動および回動を許容する。
【００１４】
回動部材２００は、一端（図２および図３の左端）がハウジング１５０の左側内部に設けられた回動軸２０１のクランクの中央部にピンで結合された、作動レバー２０２により構成されている。作動レバー２０２は、ガイド１０３の正逆回転によって連動して回動するために、長孔のガイド溝１０４を貫通することによって、ガイド１０３と係合している。さらに、作動レバー２０２は、中央部がハウジング１５０の前方に湾曲した棒状として形成され、その他端（図の右端）に、押圧片２０３を備えた逆Ｕ字状の弾性片２０４が設けられている。
【００１５】
回動部材２００は、さらに、回動軸２０１の一端と、傾斜した長孔のガイド溝１０４内での作動レバー２０２の摺動を抑え、案内溝１５１の後方側の軌跡に誘導する張力を発生するための作動レバー２０２の左側端部とに、連結固定された弾性部材２０５により構成されている。
【００１６】
押圧拘束部材３００は、一端（左下端部）が固定具３０３の上下部のピン孔にヒンジ式で固定された、螺旋状の押え片３０１により構成されている。固定具３０３の側端は、ハウジング１５０に対して上下方向に回動可能であり、ハウジング１５０に設けられた支持部とピン３０２で結合されている。押圧拘束部材３００は、さらに、一端が押え片３０１の左下端部と固定具３０３の一側孔とに固定され、他端がハウジング１５０の右側底部に設けられた突部にそれぞれ固定されている。弾性部材３０４、３０６は、ハウジング１５０の前方から後方に張力を発生させる。このようにして、弾性部材３０４、３０６は、作動レバー２０２が初期回動するときには、作動レバー２０２の右側端部は、押え片３０１の螺旋部に沿ってハウジング１５０上に置かれている本１５５の右下端部に引っ張って密着させ、そして作動レバー２０２が作動後に初期位置に復帰するときには、作動レバー２０２の右側一端部を押え片３０１の螺旋部の内側に安全に定着させるように、押え片３０１の機能を抑制する。
【００１７】
着脱部材４００は、ハウジング１５０の前後方向に、および逆Ｕ字状の弾性片４０４に固定された圧着片４０３に、回動可能にして、ハウジング１５０の支持部にヒンジ式で固定された圧着部材４０２と；一端が圧着部材４０２のヒンジの上部に固定され、他端がハウジング１５０の前方に固定され、ハウジング１５０の前方に張力を発生させる弾性部材４１１と；弾性部材４１１の張力に打ち勝ち、本のページの中央下部を押圧する圧着部材４０２の着脱方向と密着時間を制御するための中間ギヤ１０５に結合されたクランク軸４０１とから構成される。着脱部材４００は、さらに、圧着部材４０２にヒンジ式で固定され、固定軸４０５の回りに９０°旋回すると共に弾性部材４１０の一端部に結合するワイヤ４０６により構成されている。弾性部材４１０の他端部は、ハウジング１５０に形成されたピン支持部材における長孔に沿って摺動するピンに固定されている。着脱部材４００は、さらに、ストッパ４０９から構成され、このストッパ４０９は、圧着部材４０２が本のページに密着したときには、クランク軸４０１が第２の係止片４０８の右側から反時計方向に回動し、弾性部材４１１の張力に打ち勝ってストッパ４０９を左側に移動させ、これによりストッパ４０９の第１の係止片４０７がハウジング１５０に設けられた固定片１５６に係止し；そして、圧着部材４０２が本のページから離反したときには、クランク軸４０１が第２の係止片４０８の左側から時計方向に回動し、ストッパ４０９が右側上部に押し上げられ、これによりストッパ４０９の第１の係止片４０７が固定片１５６から離脱する。
【００１８】
本発明に係る装置は、さらに、前記作動レバー２０２が案内溝１５１に沿って回動し、ガイド溝１５１の左側端部１５１ａに位置するときに、リレー１５２を駆動するように作動レバー２０２と接触して、歯車付きモータ１０１の回転方向を切り換えるための第１のスイッチ１５３と；作動レバー２０２が初期位置に復帰するとき接触して、歯車付きモータ１０１の電源をオフ動作させるためのる第２のスイッチ１５４とから構成されている。
【００１９】
参照符号１５７は、作動レバー２０２によってめくられた本のページが元に戻らないようにする支持片である。参照符号１５８は、歯車付きモータ１０１に電源を印加するためのバッテリである。参照符号１６５は、作動レバー２０２の初期位置への定着に対し、案内するためのＵ字状溝を有する案内片である。
【００２０】
参照符号１６６は、押圧片２０３の円滑な昇降および初期位置への定着を確保するため、一端がハウジング１５０に固定され、他端が押圧片２０３の初期高さとされ、押圧片２０３と接触される他端の回転可能に装着されたローラを備えたクランク状の案内片である。参照符号１６７は、作動レバー２０２が初期位置への復帰を安全かつ適正に定着させる前方に傾斜面を有する案内具である。
【００２１】
以下、本発明による本の自動ページめくり装置の作動を添付図面を用いて説明する。
【００２２】
図１ないし図３に示すように、本１５５（例えば、楽譜）がハウジング１５０に着脱可能に固定されるカバー１５９上に位置する状態において、電源スイッチ１６０を操作すると、ハウジング１５０に組み込まれた歯車付きモータ１０１に電源が印加され、正方向に駆動される。
【００２３】
歯車付きモータ１０１の駆動時に、中間ギヤ１０５および減速ギヤ１０２によって回転速度が減速した状態で、減速ギヤ１０２の側面に設けられたガイド１０３が正方向に回転する。このようにして、回動軸２０１に下端がヒンジ式で固定され、ガイド溝１０４を貫通した作動レバー２０２は、ガイド１０３に結合され、回動軸２０１のヒンジピンを中心にして回動する。
【００２４】
同時に、作動レバー２０２は、案内片１６５のＵ字状の溝を外れ、カバー１５９に設けられた案内溝１５１から起立し、作動レバー２０２の上端に固定された押圧片２０３が、本１５５の右下端側に移動する。
【００２５】
このとき、３次元の空間運動が可能な螺旋状の押え片３０１が、前記ハウジング１５０に対し左右および上下方向に回動可能に固定され、作動レバー２０２の押圧片２０３は、弾性部材３０４、３０６の張力によって、本のページの右下端側に引っ張って、密着した状態で回動する。このようにして、作動レバー２０２の押圧片２０３は、本のページ１６１ａから摺動せず、ページを膨らまして押し上げることができる。
【００２６】
すなわち、一端が前記ハウジング１５０の底部の支持具にピン３０２で頂点に回転可能に結合された固定具３０３の上板に固定された弾性部材３０４と、一端がピン３０５に回転可能な押え片３０１の左側下端部に固定された弾性部材３０６との張力によって、押え片３０１はハウジング１５０の前方から後方に引っ張られる。これにより、作動レバー２０２の初期動作は、押え片３０１が螺旋状に沿って本１５５のページの右下端側に移動して密着する。
【００２７】
このとき、前記作動レバー２０２は、ガイド溝１０４の後端１０４ａに対し予め所要の角度で形成された長孔のガイド溝１０４に沿って移動するので、作動レバー２０２は、本１５５のページの右下端側に対し円滑に移動することができる。
【００２８】
一方、圧着部材４０２の圧着片４０３は、後方に移動し、ページ１６１ａ（図４ないし図６参照）の中央下端を圧着する。ページと密着した押圧片２０３の回動は、ページの中央下端から膨らんでページの右下端部に生じ、容易にページをめくることができる。
【００２９】
圧着片４０３の後方への移動は、クランク軸４０１が第２の係止片４０８の右側から反時計方向に回動し、弾性部材４１１の張力に打ち勝ち、ストッパ４０９を左側に移動させ、ストッパ４０９の第１の係止片４０７がハウジング１５０に設けられた固定片１５６に係止することによって可能となる。
【００３０】
ページ１６１ａの中央部が膨らませられた後は、図７に示すように、圧着片４０３はさらにハウジング１５０の前方側に移動し、作動レバー２０２上の押圧片２０３は、ページ１６１ａの裏面の右下端部を押して左側上部に向かって円弧運動を行う。
【００３１】
圧着片４０３の前方側への移動は、クランク軸４０１が第２の係止片４０８の左側から時計方向に円弧運動し、右側上部に押されるので、ストッパ４０９の一端に設けられた第１の係止片４０７がハウジング１５０に設けられた固定片１５６から離脱することによって、ワイヤ４０６に連結されたストッパ４０９が右方向に移動し、圧着部材４０２は、弾性部材４１１の張力によってハウジング１５０の前方に移動することによって、圧着片４０３の圧着状態が解除される。
【００３２】
前記円弧運動の初期には、押圧片２０３がページ１６１ａの右下端部の裏面から作動レバー２０２が円弧の頂点部へ移動するにつれて、図８に示すように、圧着片４０３は、ハウジング１５０の後方に移動し、次のページ１６１ｂが付いてめくられないように密着し、次のページ１６１ｂは、前のページ１６１ａと共にめくられるのを防止する。そして、作動レバー２０２は、前面のページ１６１ａとその裏面と次のページ１６１ｂとの間に位置するように移動し、さらに図９に示すように、円弧の頂点部を経て左方向に、ページ１６１ａの裏面に密着した状態で、移動を完了する。このとき、ページ１６１ａは完全にめくられる。
【００３３】
このめくられたページは、カバー１５９の左側部に設けられた支持片１５７に係止して元に戻らないようになる。さらに、ページが完全にめくられた状態で、前記作動レバー２０２は、第１のスイッチ１５３と接触することによって、リレー１５２が歯車付きモータ１０１の回転方向を切り換えるようになる。このとき、方向切換えの初期に作動レバー２０２は、ガイド１０３の逆回転によって、ガイド溝１０４の前端１０４ｂに移動し、押圧片２０３も本のページから離反された状態となるので、めくられたページ１６１ａが元に戻らないようになる。
【００３４】
一方、作動レバー２０２は、案内溝１５１に沿って回動して初期位置に復帰して、第２のスイッチ１５４を押圧して歯車付きモータ１０１の電源がオフ状態となる。このようにして、装置の１サイクルが終了する。
【００３５】
また、棒状の作動レバー２０２の中央部は、ハウジング１５０の前方に湾曲して形成されるので、本のページをめくった後、初期位置に復帰するとき、隣接した部品との干渉が防止されている。
【００３６】
従って、使用者が足で電源スイッチ１６０を操作する度に、歯車付きモータ１０１が駆動され、圧着部材４０２と作動レバー２０２は、上述した通り繰り返して作動することによって、本のページを１枚ずつめくることができる。
【００３７】
（産業上の利用可能性）
以上のように、本発明の好適な実施の態様によると、次のような利点を得ることができる。
【００３８】
演奏者が電源スイッチを足で操作して電源を印加すると、モータの駆動によって作動レバーが回動して本のページを押圧支持して１枚ずつめくることができる。これにより、演奏者は楽器の演奏に集中することができる。
【００３９】
また、作動レバーがページをめくった後、初期位置に復帰するときに、ハウジングの内部の狭い空間に密集されている隣接した部品との接触を防止することができる。案内溝の切欠き幅を、最小化して、本のページが挟まれることを防止し得ると共に、案内溝への塵芥等の異物の流入を減らすことができる。
【００４０】
さらに、本のページの中央下部を密着支持する圧着片の着脱方向と密着時間を調節することにより、本のページに対する押圧片の滑りを防止し、作動レバーが初期位置に復帰するとき、押圧片を本のページから離間させ、本のページが元に戻ることを防止することができる。
【図面の簡単な説明】
【図１】
本発明による本の自動ページめくり装置の概略図である。
【図２】
本発明による装置からカバーを取り外した状態を示す平面図である。
【図３】
図２におけるＡ１部分の拡大図である。
【図４】
図４ａおよび図４ｂは、図２におけるＡおよびＢ部分を示す側面図である。
【図５】
本発明による装置における本のページをめくる前の初期状態を示す概略図である。
【図６】
本発明による装置における圧着片と作動レバーが初期位置に移動した状態を示す概略図である。
【図７】
本発明による装置における作動レバーが本のページを押し上げる状態を示す概略図である。
【図８】
本発明による装置における本のページが中間までめくられた状態を示す概略図である。
【図９】
本発明による装置における本のページが完全にめくられた状態を示す概略図である。
【図１０】
従来の本のページめくり装置の概略図である。
【図１１】
従来の本のページめくり装置の作動説明図である。
【図１】
2004516171.tif 000003
【図２】
2004516171.tif 000004
【図３】
2004516171.tif 000005
【図４】
2004516171.tif 000006
【図５】
2004516171.tif 000007
【図６】
2004516171.tif 000008
【図７】
2004516171.tif 000009
【図８】
2004516171.tif 000010
【図９】
2004516171.tif 000011
【図１０】
2004516171.tif 000012
【図１１】
2004516171.tif 000013
【国際公開パンフレット】
2004516171.tif 000014
2004516171.tif 000015
2004516171.tif 000016
2004516171.tif 000017
2004516171.tif 000018
2004516171.tif 000019
2004516171.tif 000020
2004516171.tif 000021
2004516171.tif 000022
2004516171.tif 000023
2004516171.tif 000024
2004516171.tif 000025
2004516171.tif 000026
2004516171.tif 000027
2004516171.tif 000028
2004516171.tif 000029
2004516171.tif 000030
2004516171.tif 000031
2004516171.tif 000032
2004516171.tif 000033
2004516171.tif 000034
2004516171.tif 000035
2004516171.tif 000036
2004516171.tif 000037
2004516171.tif 000038
【国際調査報告】
2004516171.tif 000039
2004516171.tif 000040